(57)【要約】      （修正有）【課題】目視に頼らない指先感覚のみで勘合の位置確認やより楽な操作で係合の解除ができるとともに、金具使用による特有の諸問題や鉤ホックの洗濯中のひっかけトラブルなどを改善することのできる留め具を提供する。【解決手段】やや大きめのプラスチック製のシートを打ち抜きで仕上げる雄雌勘合式の留め具にする。突片１０の頭部を穴片２０の半円状の勘合穴に向かってスライドさせる際の指先感覚で、穴の位置を判断できるようにし、位置確認の後はそのまま軽く押し込むことで勘合させる。この時、音によって勘合を確認ができる。また外しもテンションがかかった状態で穴片の留め具の端を摘まんで引き上げると、音を伴って楽に完了する。【選択図】図６
2014080711.tif 000002
【特許請求の範囲】
【請求項１】
ブラジャー類のストラップの両端末に固着して連結するための一対の留め具であって、可撓性のシート状で略半円状の勘合穴部と把持部を有する穴片と、可撓性でシート状の前記穴部に勘合する頭部と把持部を有する突片とで構成し、それぞれの把持部を指で把持して前記頭部を前記勘合部にほぼ平行にスライドさせ、前記勘合穴部に前記頭部を勘合させて両片をほぼ平行に保持することを特徴とするブラジャー類の留め具。
【請求項２】
前記突片の頭部の中央部付近に切り込み、又は薄肉部を設けていることを特徴とする請求項１に記載のブラジャー類の留め具。
【請求項３】
前記留め具であって、前記突片の頭部の幅は前記穴片の勘合穴部の幅より０．５ｍｍ乃至２．０ｍｍ大きいことを特徴とする請求項１及び２に記載のブラジャー類の留め具。
【請求項４】
ゴムテンションのかかるゴム入り伸縮ストラップの両端末に固着して連結するための一対の留め具であって、可撓性のシート状で略半円状の勘合穴部と把持部を有する穴片と、可撓性でシート状の前記穴部に勘合する頭部と把持部を有する突片とで構成し、それぞれの把持部を指で把持して前記頭部を前記勘合部にほぼ平行にスライドさせ、前記勘合穴部に前記頭部を勘合させて両片が平行に重合しているゴムテンションのかかっているストラップの両端末において、穴片側のストラップ端末を外側に引き上げて勘合を解除することを特徴とするゴム入りストラップの留め具。
【発明の詳細な説明】
【発明の詳細な説明】
【技術分野】
【０００１】  本発明は、肌着のブラジャー類の留め具及びそれを用いたブラジャー類の留め具に関する。ここで、「ブラジャー類」とは、少なくとも胸カップと連結するための両端末ストラップ、またはこれに連結して用いる生地テープを組み入れた両端末を有する肌着で、ブラジャー、水着、ランジェリー、コルセットを含む。本発明はこれら製品のストラップの両端部に固着した一対のプラスチック薄片を用いて、ストラップの重合部での係合を両片の勘合で行い、目視に頼ることなく指先感覚で留め具の突片の頭部と穴片の勘合穴の位置決めと続くラフな指先操作で勘合ができる一対の留め具に関するものである。
また着用後に外側のストラップ端部を引き上げるだけの操作で、容易に留め具の勘合を解除できるようにした一対の留め具に関するものである。
【背景技術】
【０００２】  ブラジャー（図１の１）の着用時の留めは、着用者の背中側（図１）又は前側で二枚のストラップの重なり部において両者を結合する手段として留め具を用いる。通常は伸びのあるストラップ（２）の先に伸びのない生地テープ（３）を連結し、このテープに留め具を取り付ける。つまり留め具を取り付けた部材として準備した生地テープをストラップに取り付けることになる。指先による勘合操作を楽にするものとして、前後混合式ともいえる前留め後の背中回し方式が中高年層に用いられている。従来から行われているものとして、もっとも一般的な留め具は、ホック（４）・アンド・アイレット（５）方式（図２、通称は鉤ホック）のものである。【０００３】  この留め具は金属線材を加工した数ミリ大の部材をストラップの生地テープに縫製で固着した「ひっかけ式」の留め具である。この方式を採用しているブラジャー類は、日本国内を含む世界中で生産されるブラジャーの大部分に用いられている。そしてブラジャーの生産が始まって以来、数百年にわたってこの種の留め具は形態の変更なく用いられてきた。技術革新が進んだ現代において、より使いやすい快適なブラジャー類の登場が望まれている。【０００４】  微妙な指先操作を要する金属製の鉤ホックは、いくつかの欠点を有している。金属であることによる人によっては金属アレルギーを発症すること、製造工程における金属探知機による縫製の検針を困難にすること、洗濯時の鉤部による他の衣類への引っかけトラブルが挙げられる。そして着用時に操作のベテランでも起きるひっかけ操作失敗による再挑戦、再操作の問題である。着用時の留め操作に繰り返すことで時間が長くかかること、場合によってはブラジャーの長期使用においてこの困難さが起因する小さな金属部材の縫製箇所の損傷が発生する問題も付随している。【０００５】  ブラジャーの歴史と重なる金属留め具の問題の根深さがある。肌着という特殊な衣服の条件が存在し、これをクリアすることが困難であった。これら欠点や問題を改善するために、いくつかの試みがなされ、限定的に商品化されている。一つは胸元での留めに用いられるもので、取り付け製法の開発と絡めて導入された薄型ボタンである。この薄型プラスチック製ボタンの生地テープへの溶融樹脂による成型時接着法が開発されたことでボタン式がごく一部、前側係合ブラジャーとして市場に出された（特開２００３−１５５６０６）。【０００６】  もう一つは、プラスチック製部材を用いる雄雌式で、ストラップの幅方向に設けた溝付き穴（溝の奥が穴）にピンを挿入するピン式が極一部に、前側係合ブラジャーに採用されている（特開２００４−１７６２２０）。この方式は狭いカップ間で小部材を一個用いるため、勘合操作が見えにくく、ラフになりがちであることから部材の縫製箇所が損傷しやすい欠点が伴う。両方式ともゴムテンションがかかったストラップを伸ばした状態を保持して、見にくい胸元において目視でその端部にある留め具の位置を正確に確認して行うという制約があり、大幅な操作性改善にはつながらない。このことがあるために鉤ホック方式に比べてデザイン的に劣る両方式は消費者には受け入れられていない。【０００７】  日本を含む世界市場では、先述の２方式が改良留め具としてブラジャーに採用されているが、位置決めに難点があるとして、これを解決する手段として新たなプラスチック製留め具を提案されている（特許文献１）。ストラップの重合部での留めをより簡便に、指先感覚で位置決めできる留め具が、米国で特許出願され、日本にも出願されている。【０００８】  この留め具の構成は、位置決めしやすくするガイドとしての雌型アイレットをＵ字型に樹脂成型して生地テープに一個または複数個を幅方向に間隔をあけて固着し、フックとしての勘合させる雄型の丸ピンを生地テープ端に１個固着しておく。そして、雄雌板のそれぞれの勘合部の近傍に磁石を設けておく。これらの勘合操作は、雄側丸ピンを立てた状態で雌板上をずらして溝に勘合させて位置決めする。つぎに二枚の板を平行に押圧して係合する。【０００９】  この留め具の欠点は、数ミリの厚さを有する成形留め具を生地テープに取り付けるには、超音波融着法に限定され、剛性の大きい厚い部材が柔らかい生地テープに取り付けられるため、肌に対する刺激、異物感は増すことになる。また一般品に対して製造コストの上昇にもつながる。磁石を用いることによるコストアップもある。また金属検知器の問題もクリアできない。【００１０】
【特許文献１】  特許公表２０１２−５０６４９８
【発明の開示】
【発明が解決しようとする課題】
【００１１】  本発明は、最近公開された上述の新規技術に関しての問題点を解決すべくなされたものであり、さらには現在も主流の留め具として採用されている鉤ホック式の問題点を改善するものである。顕著な問題点としては以下のものが挙げられる。１）線材加工の小さな部材を用いることから微妙な指先操作を要する該留め具は、着用時に操作のベテランでも起きるひっかけ操作失敗による再挑戦、再操作の問題が付きまとっている。２）留め具が金属であることから人によっては金属アレルギーを発症すること、３）同じ原因から製造工程における金属探知機による縫製の検針を困難にすること、４）洗濯時の鉤部による他の衣類への引っかけトラブルが生じること。５）比較的小さな部材に対し、使用時には常時テンションがかかり、さらには装着操作時にイライラ操作によって過大に力が掛かりやすいこともあり、部材の縫製箇所に損傷が生じやすく、留め具の脱落からブラジャーが使用不能になることである。
【課題を解決するための手段】
【００１２】  本発明は、上記の多様な問題を一挙に解決するためのもので、汎用樹脂シートを打ち抜いてシンプルな形状の雄雌の勘合形状を得て、一対の留め具とするものである。シンプルな留めの機構に設計し、薄いプラスチックシートの打ち抜き部材で済むシンプルな工程で仕上げて安価な縫製の加工費でブラジャーのストラップに簡便に取り付けられる。肌着としての特性を損なうことなく使用感をよく保つようにするという条件を満たすべく、ストラップの端に、またはこれに連接した生地テープに勘合の雄部材として機能する突片と、雌部材として機能する穴片を縫製で取り付けて勘合させるシンプルな構造の留め具である。（以下、本文中のストラップは生地テープを連結させたストラップを含む）留め具の形状と素材、及び加工をシンプルなものにすることによって、先述のブラジャー類が数百年にわたって抱えてきた諸問題点を一挙に解決しようとするものである。【００１３】  本発明の基盤である留め具としての強度と操作性を満足させ、さらには操作性を改善させる形状を得る過程において、プラスチックシートのすべり性と断面強度を活用したことに加えて、頭部と穴部の勘合時に樹脂シートのたわみ易さを補強させる技法を導入できたことによって簡便な操作での完結する留め具の形状が得られた。【００１４】  この種の留め具の操作性の改善は、健常成人の忙しい生活の中で、肌着、ブラジャーを係合操作で失敗することなく、優美に身に着けたいという欲求を満たすだけでなく、指先の操作及び感覚が衰えた高齢者、および肢体不自由の若年者にも健常他者と同様に装うことを可能にするものである。特に前者については、日本を含む先進国、および中国等の新興国において高齢化社会が進展し、特に日本においては２０１２年時点で６５歳以上の高齢者の占める割合が２３％を越えてきている。【００１５】  このような社会にあって指先の細かい操作が老齢に伴って不自由になった人、生まれながらに運動障害がある人、および視覚障害者等の障害者が用いる肌着には、一般的な手段の鉤ホック式より係合操作性に優れ、目視に頼らないラフな勘合操作で済み、損傷しにくい耐久性のある留め具を提供することの社会的意義は小さくない。【００１６】  請求項１に係る発明は、ブラジャー類のストラップの両端末に固着して連結するための一対の留め具であって、可撓性のシート状で略半円状の勘合穴部と把持部を有する穴片と、可撓性でシート状の前記穴部に勘合する頭部と把持部を有する突片とで構成し、それぞれの把持部を指で把持して前記頭部を前記勘合部にほぼ平行にスライドさせ、前記勘合穴部に前記頭部を勘合させて両片をほぼ平行に保持することを特徴とするブラジャー類の留め具に関する。【００１７】  請求項２に係る発明は、前記突片の頭部の中央部付近に切り込み、又は薄肉部を設けていることを特徴とする請求項１に記載のブラジャー類の留め具に関する。【００１８】  請求項３に係る発明は、前記留め具であって、前記突片の頭部の幅は前記穴片の穴部の幅より０．５ｍｍ乃至２．０ｍｍ大きいことを特徴とする請求項１及び２に記載のブラジャー類の留め具に関する。【００１９】  請求項４に係る発明は、ゴムテンションのかかるゴム入り伸縮ストラップの��端末に固着して連結するための一対の留め具であって、可撓性のシート状で略半円状の勘合穴部と把持部を有する穴片と、可撓性でシート状の前記穴部に勘合する頭部と把持部を有する突片とで構成し、それぞれの把持部を指で把持して前記頭部を前記勘合部にほぼ平行にスライドさせ、前記勘合穴部に前記頭部を勘合させて両片が平行に重合しているゴムテンションのかかっているストラップの両端末において、穴片側のストラップ端末を外側に引き上げて勘合を解除することを特徴とするゴム入りストラップの留め具に関する。
【発明を実施するための最良の形態】
【００２０】  留め具に用いる突片（１０）と穴片（２０）の形状が最大のポイントであるが、これらを生地テープ（１７）に縫製で固着する糸（１９）の位置も重要である。比較的薄いシートでの部材設計ができるのは、糸の補強効果および固定効果を有効に組み入れられることによる。【００２１】  まず勘合具の形状を述べる。生地テープの上で勘合を遂行することが、留めの作業性を良好にするうえでは重要であり、このためには勘合具の厚さを抑えるのに好都合なプラスチックシートを打ち抜いて用いる。ブラジャーに用いるには絶えずかかっているゴムテンションに影響されない勘合強度を有し、かつ勘合が容易に弱い女性の力での簡単に操作できなければならない。入れやすくて抜けにくいことを達成する必要がある。さらには勘合を解除する際にも力が要らないようにしなければ、使用者に優しい留め具にはならない。【００２２】  上記の一見矛盾する機能を解決するには、プラスチックシートの有するすべり易さと断面の強さ、さらには撓みやすさが好都合である。つまり穴にやや大きめの頭部を押し込んで勘合させ、引っ張りに耐える強度を得るには、指先操作に耐える扱いやすい剛性を持っている必要がある。また勘合する突片と穴片の噛みこむ切り口同士の耐引っ張り強さ、及び耐ひねり強さも判断のファクターになる。これらを総合して、打ち抜くシート種と厚さを選定する。汎用樹脂シートが選定対象になるが、これ以外にも紙や金属箔等を用いた種々の複合シートも選定可能である。【００２３】  本発明では０．５ｍｍ乃至１．５ｍｍの厚さのポリプロピレン樹脂シートが比較的小型の留め具設計では適する。指先操作で勘合操作を容易にし、かつ勘合後のかみ合わせで突き当たる箇所での引っ張り強度を長期使用期間で維持するための最適な厚さとしては、ポリプロピレン樹脂の１．０ｍｍまたは０．８ｍｍが好適である。これらの組み合わせ使用も有効である。【００２４】  例としてはストラップの幅が３５ｍｍであれば、留め具の幅は２５ｍｍ程度の幅を最小にして設計できる。長さは突片が４０ｍｍ、穴片はこれより大きく５０ｍｍ程度に設計する。留め具の幅が２５ｍｍから５０ｍｍの場合、穴片には１．０ｍｍのシート、突片には０．８ｍｍのシートを打ち抜いて所定の形状を得る組み合わせが最適である。突片のシートは穴片より薄手にすると勘合操作の点では好都合である。この選定する厚さは生地テープとの縫製法によっても配慮されるべきものである。【００２５】  穴片の形状を図３に示す。頭部（１１）と把持部（１２）からなり、その頭部はきつめの穴に潜り込みやすい形状をとり、勘合後は抜けにくくするためのくびれ部（１４）を有している。差し込まれる長さを短くし、頭部の両側のでっぱりは勘合抵抗を抑えるために緩やかな丸みを持たせる。該頭部には穴に入りやすくするためのたわみ発生用の丸穴（１５）をほぼ中央に配置している。これは頭部全体が弱い抵抗でカールするようにする工夫である。【００２６】  丸穴の代わりに短い切れ刃によるスリットを頭部中央に多本数設けてもよい。勘合時には図のＡ寸法がカールによって１ｍｍから１．５ｍｍ程度見かけ上瞬時に縮小する。この縮小寸法は穴の幅（Ｂ）より大きく設定した頭部の幅寸法（Ａ）と���差である。このたわみを勘合時に生じやすくするこれら以外の工夫を組み入れておくことが重要である。この寸法関係は勘合機構の項で詳述する。【００２７】  把持部に設けた丸穴（１６）は生地テープと突片が一体化した留め具を押し込む操作をする際に、指先に力がかかりやすいようにするためのものである。鉤ホック式のストラップ端末は布地であり、繊細な指先操作には熟練を要するが、薄いプラスチック片を把持できることで改善される。把持部に糸による縫製もすべり止めに寄与する。これは縫製の目印にもなる。【００２８】  突片の幅寸法は、穴片同様にストラップ（１８）の幅及び生地テープの幅と関係し、両側の縫い代を差し引いたもの以下にする。勘合操作、及び勘合効果を有効にするためには、２５ｍｍ以上にし、５０ｍｍ以下とする。頭部の幅は突片の把持部より片側４ｍｍ乃至６ｍｍ狭めたものに設定する。つまり把持部が２５ｍｍの幅であれば、頭部の幅は１７ｍｍ程度となる。【００２９】  突片を生地テープ（１７）に固着する例を縫製の場合で示す（図４）。このテープには工業用ミシンで突片ごと貫通できる厚手の不織布、織布、皮革材その他の比較的薄い材料が適する。頭部の固定には、頭部の根元が針孔の影響で折れやすくならないように、ここでは斜めに糸（１９）を渡しているが、首部に向ってのＶ字形縫製も有効である。この糸に連続して把持部も縫い付けて固定する。【００３０】  このように突片と生地テープを一体化させた留め具をストラップに縫製する（糸は図示しない）。指先操作性を考慮すると突片の把持部の末端とストラップを近接または重ねて縫製する。後者は両材料が一体化して高い剛性が得られるので望ましい。【００３１】  次に穴片（２０）の形状について述べる（図５）。図の左側は把持部で、その中に丸穴を設けてすべり止めにしている。勘合の穴はほぼ中央に配置する。突片を右手でつまみ、左手で穴片の把持部をつまんで準備し、つかんだ穴片に向けて突片の先端を向けて面同士を滑らせるようにして移動し、穴と勘合させる。突片の頭部のスリップインをスムースにするには、穴の形状を頭部の形状に似た略半円状（２１）にする。【００３２】  上記の突片を把持して穴片の把持部に対して反対側の空きスペース内を滑らすように移動操作すると、打ち抜き断面同士のはまった当たりの感触が指に感じられ、目視しなくとも指先感覚のみで勘合まで操作できるようになる。このように穴片の勘合穴の円弧端部は頭部の先端のガイドの役目を果たすことになる。この勘合穴の形状は、突片の頭部とでかみ合わせになる部を設けられるガイド機能付きならば、円弧を有する半円に規定されない。【００３３】  上記の勘合穴の延長上に、円弧の線の延長に設けた切り込み（２２）を設ける。頭部が穴のエッジを滑って移動して、半円の直線の突き当りに達すると同時に勘合の初期段階が形成される。柔らかめの生地テープに穴片の勘合穴の周囲を避けて緩く糸で固着されているので、この生地テープが頭部先端をこの下に導く働きをする。【００３４】  この先端部が突き当りの下に潜り込むと同時に、切り込み部がきつめの穴に入り込む頭部にたわみが生じるのを助長する。この部分が突片の勘合に若干のひねりを生じさせ、効果的に働く。この切込みは１ｍｍ〜４ｍｍの範囲が適する。勘合機構の詳細は後述する。【００３５】  請求項３の内容について説明する。図中の突片の頭部の幅（Ａ）は穴片の勘合穴の幅（Ｂ）より０．５ｍｍ乃至２．０ｍｍ大きいことが勘合には必要になる。弱い力での勘合操作を考慮すると好適な範囲は１．０ｍｍから１．５の範囲である。この寸法差があれば、半円の円弧の延長に数ミリの直線部を設けた形状（図５）においても、勘合穴の幅より０，５ｍｍ程度長くなっている部分から斜め勘合が無理やり行われても、また勘合直後に突片がひねられた場合でもスリップアウトすることはない。これには穴が略半円形であることが望ましい。【００３６】  半円穴の両側直線部と外周切断部とのスペース幅は、４ｍｍ乃至１０ｍｍが好適である。留め具を使用する際に勘合操作、および外し操作の際の引っ張り力、ひねり力に抗するに十分の剛性を保つためである。ストラップの幅との関係で留め具の幅が規定されるが、頭部と穴部による勘合機能と後述の解除機能の際の同スペースの剛性維持のバランスをとる設計が必要になる。【００３７】  穴片の生地テープへの固着は突片の場合と同様である（図は省略）。把持部付近を縫製する際には、頭部が潜り込むスペースを残しておくことが必要になる。突片、穴片、それぞれに用いる生地テープの位置関係および縫製箇所は、相互間の保持効果と見栄えを考慮して決めることになる。【００３８】  次に突片と穴片の勘合機構について詳細に説明する。図６に示すように両片の把持部を指でつかんで両片を平行に近づけて、矢印の方向に両手でスライド押し込みを行う。この両片の面同士を穴の円弧をガイドにして滑らせて行くと、軽く移動させる中で勘合が完了する。頭部の先端が１ｍｍ程度きつめに設定した穴に入り込んで、前方に軽く押し込まれることで穴部の切り口部に乗り上げた頭部の左右突起（１３）が圧迫されながら進むことで頭部全体にわずかな反りが生じる。【００３９】  この厚さ方向のたわみは、比較的柔らかいポリプロピレン樹脂では生じやすい。頭部下のくびれ部（１４）が穴の突き当りまで達した時には、頭部に瞬時に生じたたわみが穴への貫通によって解消される。このときプラスチック特有のはじけた「パチン」という音が発するので、勘合終了とわかる。そして勘合後も両片の平行関係は維持される。これはブラジャーの留め具の厚さがブラウスを持ちあげることを嫌うという条件にかなう。【００４０】  請求項２について説明する。女性が扱うことになる留め具のスライド押し込みの力をさらに弱めるために、該頭部が圧迫されて、より撓みやすくなるようする必要がある。これには頭部中央に丸穴や切れ目の切り込みを入れておくと効果的である。実施例では丸穴を採用しているが、この大きさは突片の首部が長期にわたる押し込む作業による勘合時の疲労に耐えるように設定し、勘合操作に影響がないものにする。【００４１】  この頭部内に設ける切れ目は、頭部全体に生じるたわみを生じやすくする効果があるが、単にシートを柔らかいグレードのもの選定すると、勘合穴のアール部で生じる噛み合わせ状態で引っ張り強度を低下させる。これは長期使用におけるテンション下で突片の穴片からのスリップアウトを生じやすくする。また強く���トラップを引っ張った時に外れやすくなる。【００４２】  勘合強度の面では頭部の周縁部、特に突起部付近を中央部より固めに設計する必要がある。同様の機能を得る手法として、先述したように穴ではなく切れ目を数本、頭部中央部に設けてもよい。またインジェクション成型法で採用して生産するならば、この中央部分に薄肉部を設けるように設計することでも同様の効果を得られる。【００４３】  勘合操作の後、ストラップにゴムテンションが働いているブラジャーの場合、留め具から手を放すと頭部の両側突起の根元の切り口が半円穴の直線部を後戻り移動して行く。この移動は前記切り口が半円の円弧の傾斜部に達してかみ合ったのち停止する。この状態に達することで留め具としての機能が発揮する。【００４４】  次に請求項４に関する勘合解除の機構について説明する。ゴム入りストラップで、両留め具にストラップのゴムテンションがかかった状態で、穴片側のストラップ端末である生地テープ端部をつかんで外側に引き上げると（図１）、楽に勘合が解除される。着用中のブラジャーの場合は留め具を外す際にも必ずストラップのゴムテンションがかかっているので、本発明の勘合の機構が有効に働いて楽な解除の機構として機能する。ブラジャーを外す際には、重合しているストラップ端末の内、穴片側のストラップ端末を引き上げ操作すると、「パツン」という軽い音を伴って重合しているストラップが離れ、ブラジャーが肌から外れる。【００４５】  この解除の機構を詳述する。この解除の際には勘合の場合の頭部の動きとは反対の動きが生じている。穴片を軽く持ち上げることで、勘合の際の突片のスライド押し出しとは反対の突片の頭部にこれを抜きだす力が生じる。ゴム入りストラップであるために、解除操作の際にも頭部の突起部の切り口にある傾斜部が半円穴の傾斜部にあたった状態がテンションで保持され、この状態で穴片の把持部を引き上げると、引き上げの力が頭部のくびれ部に作用し、勘合時と同様に頭部全体に瞬時のたわみが生じ、頭部が勘合穴からスリップアウトする。【００４６】  頭部中央に穴が設けてあると、より楽に弱い力での頭部の抜け出しが達成される。この際、頭部は生地テープと穴片の間で瞬間的に若干浮く格好になり、頭部のくびれ部がひねられる形になる。つまり頭部を穴部に挿入して勘合させる際の姿勢と似た状態になる。留め具の縫製加工において配慮した生地テープと留め具との寸法上の余裕は、そのまま勘合解除でも生きることになる。【００４７】  鉤ホックのブラジャーの場合、背中側の重合部に手先を挿入して、鉤ホックの引っ掛かりを解除する。これにはゴムの働きに逆らって手先で重なり位置の戻しをしなければならず、幾分困難なホック操作に慣れを要する。この窮屈なホック外し操作が留め具の損傷の一因になっている。本発明は、この外しの指先操作も楽にできることが、大きな利点になっている。【００４８】  ポリプロピレン樹脂シートの打ち抜き部材を用いることで、製品デザイン企画に合わせてストラップ、生地テープの幅条件等に適合させられる突片と穴片を安価に設計製作できる利点が生じる。この部材を用いることで、ストラップには一対のやや大きめの留め具を一般的な縫製加工だけで済ませることができるよ��になる。これは通常多数個の金属ホックをストラップ幅にわたって並べる鉤ホック式に較べると、大きな加工上の利点を生む。【００４９】  欠点としては、小型鉤ホック式のように多列に配することはできない点が挙げられる。購入者が体型の変化に応じて留め具の位置を変更したいときには、縫製の糸を外して、太い工業用ミシン針の開けた穴を活用して、位置変更後に手縫いで同様の取り付け・固定をすることができる。
【産業上の利用可能性】
【００５０】  本発明は、指先でしっかり把持でき、簡単に勘合できるシート状留め具にすることで、手先が不自由な高齢者、または身障者によるブラジャー類の装着と外しを容易にする肌着を製造することができる。
このプラスチックシートの打ち抜き片はゴムテンションがかかっている衣服の留めにも用いることができ、やや小さめの金具を用いる留め具を幾分大きめのユニバーサルな留め具への転換を可能にする。パジャマ、運動着、介護服等のゴム入れ部の留めにも採用することができる。
【図面の簡単な説明】
【００５１】
【図１】  本発明のストラップ端末で重合する生地テープの端を引きあげて、留め具の勘合を解除する図である。
【図２】  従来の鉤ホック式留め具を装着したブラジャーの図である。
【図３】  穴片に勘合する突片の平面図である。
【図４】  突片を生地テープとストラップに縫製で取り付けた状態の図である。
【図５】  突片に勘合する穴片の平面図である。
【図６】  突片と穴片の勘合方向を示す勘合図である。
【符号の説明】
【００５２】１        ブラジャー
２        ストラップ
３        生地テープ
４        鉤ホックのホック部
５        鉤ホックのアイレット部
１０      突片
１１      頭部
１２      把持部
１３      突起部
１４      くびれ部
１５      たわみ用穴
１６      すべり防止用穴
１７      生地テープ
１８      ストラップ
１９      縫製糸
２０      穴片
２１      勘合穴部
２２      切り込み
２３      把持部
２４      すべり防止用穴部
【図１】
2014080711.tif 000003
【図２】
2014080711.tif 000004
【図３】
2014080711.tif 000005
【図４】
2014080711.tif 000006
【図５】
2014080711.tif 000007
【図６】
2014080711.tif 000008